(57)【要約】      （修正有）【課題】使用寿命を延ばすことができる弾性片組合せ眼鏡を提供する。【解決手段】曲折連接座３上には、曲折連接座３をクランプするクリップ５がそれぞれ設けられ、テンプル２の前端は軸ボス１７を介してクリップ５の両側の軸孔に枢設され、曲折連接座３とテンプル２との間の、クリップ５の内側にはＲ形弾性片４が設けられている。テンプル２を開いた時には、テンプル２の前端の外側がＲ形弾性片４と接触し、折り畳んだ時には、テンプル２の前端がＲ形弾性片４上に当接する。【選択図】図１３
0003185562.tif 000002
【実用新案登録請求の範囲】
【請求項１】
眼鏡フレーム本体（１）と、眼鏡フレーム本体（１）両側の曲折連接座（３）に枢設されたテンプル（２）とを含む弾性片組合せ眼鏡において、
前記曲折連接座（３）上には、曲折連接座（３）をクランプするクリップ（５）がそれぞれ設けられ、テンプル（２）の前端は軸ボス（１７）を介してクリップ（５）の両側の軸孔（６）に枢設され、曲折連接座（３）とテンプル（２）との間の、クリップ（５）の内側にはＲ形弾性片（４）が設けられており、テンプル（２）を開いた時には、テンプル（２）の前端の外側がＲ形弾性片（４）と接触し、折り畳んだ時には、テンプル（２）の前端がＲ形弾性片（４）上に当接することを特徴とする弾性片組合せ眼鏡。
【請求項２】
前記クリップ（５）は、矩形面（２６）と、矩形面（２６）の上下両側に連結された第１曲折部（７）からなり、クリップ（５）の断面はＣ字形で、矩形面（２６）は第１曲折部（７）に垂直に設置されており、第１曲折部（７）の外側の辺は斜辺であり、第１曲折部（７）の外側の辺には、第１曲折部（７）上に斜めに設置され、内向きに１８０°折り曲げられた第２曲折部（８）が設けられており、矩形面（２６）の後端には第１延伸面（９）が設けられ、第１延伸面（９）の後端には第１曲折部（７）の曲折方向と同じで、かつ９０°に折り曲げられた第３曲折部（１０）が設けられており、前記軸孔（６）は第２曲折部（８）上に設置されており、クリップ（５）の内端面は曲折連接座（３）の外端面と接触し、かつ平行に設置され、第３曲折部（１０）は曲折連接座（３）の後端面上に当接し、両側の第１曲折部（７）がそれぞれ曲折連接座（３）の上下両端に設置されていることを特徴とする請求項１に記載の弾性片組合せ眼鏡。
【請求項３】
前記Ｒ形弾性片（４）は、第１弾性片脚（１１）と、第２弾性片脚（１２）と、第１弾性片脚（１１）後端と第２弾性片脚（１２）後端を連結するＵ形コーナー（１３）からなり、第２弾性片脚（１２）の上下両側の辺には、両側に向かって延伸する第２延伸面（１４）がそれぞれ設けられ、第２弾性片脚（１２）の外端面には外向きに折り曲げられた凸片（１５）が設けられ、Ｒ形弾性片（４）の第２弾性片脚（１２）の前端は第３曲折部（１０）上に当接しており、第１弾性片脚（１１）の前端がテンプル（２）の前端外側に押し付けられることにより、軸孔（６）を軸心としてテンプル（２）を回転させることを特徴とする請求項２に記載の弾性片組合せ眼鏡。
【請求項４】
前記曲折連接座（３）に、位置が凸片（１５）に対応する第１孔（１６）が設けられ、凸片（１５）が第１孔（１６）内に掛合されていることを特徴とする請求項３に記載の弾性片組合せ眼鏡。
【請求項５】
前記眼鏡フレーム本体（１）のクリングス（１８）には球状関節（１９）が設けられており、眼鏡フレーム本体（１）のノーズパット部が球状関節（１９）と掛合することにより、前記ノーズパット部を、球状関節（１９）を円心として３６０°回転させることができることを特徴とする請求項４に記載の弾性片組合せ眼鏡。
【請求項６】
前記テンプル（２）の前端に第１凸起（２０）が設けられ、軸ボス（１７）が第１凸起（２０）の上下両側に設置されていることを特徴とする請求項５に記載の弾性片組合せ眼鏡。
【請求項７】
前記眼鏡フレーム本体（１）のレンズ孔部の両側に、眼鏡フレーム本体（１）のレンズ孔部分から曲折連接座（３）の中央部に至る第１長溝（２１）が開設されていることを特徴とする請求項６に記載の弾性片組合せ眼鏡。
【請求項８】
前記第１長溝（２１）の後端に、曲折連接座（３）上に設置された、第１長溝（２１）
に垂直な第２長溝（２５）が連結されていることを特徴とする請求項７に記載の弾性片組合せ眼鏡。
【請求項９】
前記テンプル（２）の前端に、内側に向かって折り曲げられた第４曲折部（２２）が設けられ、第４曲折部（２２）の前端には、外側に向かって折り曲げられ、かつテンプル（２）に平行な第５曲折部（２３）が設けられており、第１凸起（２０）が第５曲折部（２３）の前端に設置されていることを特徴とする請求項８に記載の弾性片組合せ眼鏡。
【請求項１０】
前記曲折連接座（３）の後端下側に切欠き（２４）が設けられていることを特徴とする請求項９に記載の弾性片組合せ眼鏡。
【考案の詳細な説明】
【技術分野】
【０００１】
本考案は、眼鏡に関し、特にロウ付け及びネジのいらない弾性片組合せ眼鏡に関するものである。
【背景技術】
【０００２】
現在、一般の眼鏡は、通常、眼鏡フレーム本体とテンプルとの間をネジで連結しており、このような構造は、簡単で加工がしやすい。
【考案の概要】
【考案が解決しようとする課題】
【０００３】
しかし、従来の場合、長期的な使用において、テンプルを何度も閉じたり開いたりする過程で、テンプルと眼鏡フレームをネジ接続しているネジが脱落するという現象が発生することがあり、脱落すると、眼鏡を修理しなければならず、修理できない場合は、眼鏡を装着し続けることができず、交換するしかないため、眼鏡の使用寿命が短くなり、明らかに消費者のコストが増えるという問題があった。
【０００４】
本考案は上記問題点に鑑み、使用寿命を延ばすことができる弾性片組合せ眼鏡を提供することを目的としている。
【課題を解決するための手段】
【０００５】
上記の問題を解決するために、本考案では、眼鏡フレーム本体と、眼鏡フレーム本体両側の曲折連接座に枢設されたテンプルとを含み、前記曲折連接座上には、曲折連接座をクランプするクリップがそれぞれ設けられ、テンプルの前端は軸ボスを介してクリップの両側の軸孔に枢設され、曲折連接座とテンプルとの間の、クリップの内側にはＲ形弾性片が設けられており、テンプルを開いた時には、テンプルの前端の外側がＲ形弾性片と接触し、折り畳んだ時には、テンプルの前端がＲ形弾性片上に当接する弾性片組合せ眼鏡という技術的手段を採用している。
【０００６】
本考案の前記クリップは、矩形面と、矩形面の上下両側に連結された第１曲折部からなり、クリップの断面はＣ字形で、矩形面は第１曲折部に垂直に設置されており、第１曲折部の外側の辺は斜辺であり、第１曲折部の外側の辺には、第１曲折部上に斜めに設置され、内向きに１８０°折り曲げられた第２曲折部が設けられており、矩形面の後端には第１延伸面が設けられ、第１延伸面の後端には、第１曲折部の曲折方向と同じで、かつ９０°に折り曲げられた第３曲折部が設けられており、前記軸孔は第２曲折部上に設置されており、クリップの内端面は曲折連接座の外端面と接触し、かつ平行に設置され、第３曲折部は曲折連接座の後端面上に当接し、両側の第１曲折部がそれぞれ曲折連接座の上下両端に設置されている。
【０００７】
本考案の前記Ｒ形弾性片は、第１弾性片脚と、第２弾性片脚と、第１弾性片脚後端と第２弾性片脚後端を連結するＵ形コーナーからなり、第２弾性片脚の上下両側の辺には、両側に向かって延伸する第２延伸面がそれぞれ設けられ、第２弾性片脚の外端面には外向きに折り曲げられた凸片が設けられ、Ｒ形弾性片の第２弾性片脚の前端は第３曲折部上に当接しており、第１弾性片脚の前端がテンプルの前端外側に押し付けられることにより、軸孔を軸心としてテンプルを回転させる。
【０００８】
本考案の前記曲折連接座には、位置が凸片に対応する第１孔が設けられ、凸片が第１孔内に掛合されている。
本考案の前記眼鏡フレーム本体のクリングスには球状関節が設けられており、眼鏡フレーム本体のノーズパット部が球状関節と掛合することにより、前記ノーズパット部を、球状関節を円心として３６０°回転させることができる。
【０００９】
本考案の前記テンプルの前端には第１凸起が設けられ、軸ボスが第１凸起の上下両側に設置されている。
本考案の前記眼鏡フレーム本体のレンズ孔部の両側には、眼鏡フレーム本体のレンズ孔部分から曲折連接座の中央部に至る第１長溝が開設されている。
本考案の前記第１長溝の後端には、曲折連接座上に設置された、第１長溝に垂直な第２
長溝が連結されている。
【００１０】
本考案の前記テンプルの前端には、内側に折り曲げられた第４曲折部が設けられ、第４曲折部の前端には、外側に折り曲げられ、かつテンプルに平行な第５曲折部が設けられており、第１凸起が第５曲折部の前端に設置されている。
本考案の前記曲折連接座の後端下側には、切欠きが設けられている。
【考案の効果】
【００１１】
本考案によれば、既存の技術と比較すると、眼鏡フレーム本体両側の曲折部に断面がＣ形のクリップを設け、軸ボスによりテンプルをクリップ内部の軸孔に枢設することにより、ネジを使用して脱落現象が起きることを回避しており、クリップとテンプルの間に弾性片を設けることにより、テンプルを開閉する際に弾性片の弾力の影響を受けて、テンプルをより堅固にクリップに枢設することができ、ロウ付けを必要とせず、眼鏡の使用寿命を延ばすことができる。
【図面の簡単な説明】
【００１２】
【図１】本考案の眼鏡フレーム本体の展開状態の正面図である。
【図２】本考案の眼鏡フレーム本体の正面図である。
【図３】本考案のノーズパッドの斜視図である。
【図４】本考案のノーズパッドと眼鏡フレーム本体とを連結した状態の平面図である。
【図５】本考案のＲ形弾性片の展開図である。
【図６】本考案のＲ形弾性片の正面図である。
【図７】本考案のＲ形弾性片の平面図である。
【図８】本考案のクリップの斜視図である。
【図９】本考案のクリップの展開図である。
【図１０】本考案のクリップの平面図である。
【図１１】本考案のテンプルの正面図である。
【図１２】本考案のテンプルの平面図である。
【図１３】本考案の弾性片組合せ眼鏡の平面図である。
【図１４】本考案の弾性片組合せ眼鏡の側面図である。
【考案を実施するための形態】
【００１３】
以下では、図面と実施形態を結び付けて、本考案についてさらに詳細な説明を行う。
図１に示すように、眼鏡フレーム本体１はワイヤカット加工により製作される。眼鏡フレーム本体１の両側には曲折連接座３が設けられ、眼鏡フレーム本体１のレンズ孔部２７から曲折連接座３の中央部に至る第１長溝２１が開設されており、第１長溝２１は曲折連接座３の中間に設置され、第１長溝２１の後端末尾部には、上向きに開いた第２長溝２５が設けられており、第２長溝２５は第１長溝２１に垂直であり、第１長溝２１の後部両端には噛合する歯２８が設けられており、クリップ５が曲折連接座３をクランプすると、第１長溝２１が固く締まってレンズをレンズ孔部２７内に固定し、歯２８がストッパの役割を果たす。曲折連接座３の後端近傍には矩形の第１孔１６が設けられており、該第１孔１６は正方形で、曲折連接座３の後端下側には切欠き２４が設けられており、眼鏡フレーム本体１の２つのレンズ孔部２７の間には、クリングス１８が設けられている。
【００１４】
図２及び図４に示すように、曲折連接座３は、曲折連接座３と眼鏡フレーム本体１の連結部を後方に折り曲げた際に眼鏡フレーム本体１とほぼ９０°をなすように設置されており、クリングス１８には球状関節１９が取り付けられ、眼鏡フレーム本体１のノーズパット部２９が球状関節１９と掛合して、ノーズパット部２９を、球状関節１９を軸心として３６０°回転できるようにしている。
【００１５】
図３に示すように、ノーズパット部２９の後端面上には凸台３０が設けられており、凸台３０の中心位置には球状関節１９を被包する球状凹溝３１が設けられ、凸台３０には球状凹溝３１と連結された連結溝３２が開設されており、ノーズパット部２９がクリングス１８に取り付けられる時、球状関節１９が球状凹溝３１と掛合する。球状関節１９を連結するクリングス１８は、片側の連結溝３２内に設置されている。
【００１６】
図５に示すように、Ｒ形弾性片４を展開すると、１本の帯状構造であり、Ｒ形弾性片４の右側の上下両端には、Ｒ形弾性片４の上下に沿って延伸する第２延伸面１４がそれぞれ設けられて、Ｒ形弾性片４を１つの凸字形に構成しており、Ｒ形弾性片４の右側の右側辺近傍の位置には、外側に向けて突起する凸片１５が設けられており、凸片１５の寸法及び形状は、第１孔１６と同じである。
【００１７】
図６、図７に示すように、展開した弾性片４を中心線に沿って折り曲げると、断面がＲ字形の弾性を持つＲ形弾性片４が形成される。この時、Ｒ形弾性片４は第１弾性片脚１１と第２弾性片脚１２を持ち、第１弾性片脚１１の後端は、Ｕ形コーナー１３を介して第２弾性片脚１２の後端と連結される。第２弾性片脚１２とは、第２延伸面１４を有する片端のことである。
【００１８】
図８、９及び１０に示すように、クリップ５は、展開状態の概略図で見ると、矩形面２６と、矩形面２６の上下両側に設置された第１曲折部７からなり、第１曲折部７外側の２本の辺は斜辺であり、第１曲折部７の後ろ側にも斜辺があり、第１曲折部７の外側には、斜めに設置された第２曲折部８が設けられており、第２曲折部８の後ろ側近傍には軸孔６が設けられ、前側近傍には位置決め孔３３が設けられており、両側の第１曲折部７を上向きに９０度折り曲げると、クリップ５がＣ字形を構成する。クリップ５を図１０で見ると、上端に斜辺を有する多角形であり、前記第２曲折部８を内向きに１８０度折り曲げると、第２曲折部８の内側面と第１曲折部７の内側面が重なる。矩形面２６の後端には第１延伸面９が設けられており、第１延伸面９の後端には、第１曲折部７の曲折方向と同じであり、矩形面に垂直な第３曲折部１０が設けられている。
【００１９】
図１１及び図１２に示すように、テンプル２の前端は、両端が真ん中に向かって収縮する第１凸起２０であり、第１凸起２０の前端面の中央部には内側に凹んだ弧面が設けられており、第１凸起２０の上下両端にはそれぞれ軸ボス１７が設けられている。該テンプル２の前端部分には、内向きに９０度近く折り曲げられた第４曲折部２２が設けられており、第４曲折部２２の前端には、折り曲げた時にテンプル２と平行になる第５曲折部２３が設けられ、第１凸起２０が第５曲折部２３上に設置されている。
【００２０】
図１３及び図１４に示すように、前記クリップ５が曲折連接座３の外側から曲折連接座３をクランプすることにより、第１曲折部７に曲折連接座３の上下両側を締め付けさせる。曲折連接座３を締め付けると、第３曲折部１０が曲折連接座３の後端面上に当接し、同時にレンズを眼鏡フレーム本体１のレンズ孔部２７内に固定する。Ｒ形弾性片３は、開口部を後端に向けるようにして、第２弾性片脚１２の凸片１５により第１孔１６内に掛合され、かつ第２弾性片脚１２の前端が第３曲折部１０の内側に当接する。第１弾性片脚１１と第１曲折部７の外側の辺は同一水平面上にあり、Ｕ形コーナー１３と曲折連接座３の内側面が接触し、テンプル２が軸ボス１７を介して軸孔６に挿入され、第１弾性片脚１１の外側面がテンプル２を軸孔６内で押さえ付け、テンプル２を軸孔に沿って回転させる。テンプル２を開いた時、第１凸起２０はＲ形弾性片４の第１弾性片脚１１に平行になり、かつ接触を成す。折り畳んだ時は、テンプル２の前端の第１凸起２０とＲ形弾性片４が圧着し、第１凸起２０をＲ形弾性片４の第１弾性片脚１１上に当接させる。テンプル２は、曲折連接座３と９０度の夾角をなして設置され、クリングス１８上の球状関節１９には、球状関節１９を軸心として３６０度回転するノーズパット部２９が取り付けられている。
【００２１】
レンズを装着する際には、厚さが曲折連接座３より大きい丸針を切欠き２４に挿入すると、Ｒ形弾性片４の第２弾性片脚１２が跳ね上がり、それと同時に、凸片１５が第１孔１６より高くなるので、眼鏡フレーム本体を円滑に取り外し、レンズ交換の目的を果たすことができる。
本考案の弾性片組合せ眼鏡は、すべて薄片材料を用いてレーザーによりワイヤカット加工されており、ロウ付けの必要がなく、生産コストが減少し、また眼鏡にネジがないため、レンズ装着が非常に容易で、しかもネジの脱落というリスクが生じないので、眼鏡の使用寿命が延びる。ノーズパット部の構造では、クリングス上の球状関節を同心円として、ノーズパット部が３６０°回転できるので、運動時も静止時も鼻に密着し、安全かつ快適に着用できる。本設計は弾性片を有しているので、眼鏡の対外及び対内の収容において弓
を弾くような作用が生じるため、より快適に着用できる。
【符号の説明】
【００２２】
１      眼鏡フレーム本体
２      テンプル
３      曲折連接座
４      Ｒ形弾性片
５      クリップ
６      軸孔
７      第１曲折部
８      第２曲折部
９      第１延伸面
１０    第３曲折部
１１    第１弾性片脚
１２    第２弾性片脚
１３    Ｕ形コーナー
１４    第２延伸面
１５    凸片
１６    第１孔
１７    軸ボス
１８    クリングス
１９    球状関節
２０    第１凸起
２１    第１長溝
２２    第４曲折部
２３    第５曲折部
２４    切欠き
２５    第２長溝
２６    矩形面
【図１】
0003185562.tif 000003
【図２】
0003185562.tif 000004
【図３】
0003185562.tif 000005
【図４】
0003185562.tif 000006
【図５】
0003185562.tif 000007
【図６】
0003185562.tif 000008
【図７】
0003185562.tif 000009
【図８】
0003185562.tif 000010
【図９】
0003185562.tif 000011
【図１０】
0003185562.tif 000012
【図１１】
0003185562.tif 000013
【図１２】
0003185562.tif 000014
【図１３】
0003185562.tif 000015
【図１４】
0003185562.tif 000016